(57)【特許請求の範囲】
【請求項１】
部屋内のムード及びソーシャルセッティングに適した雰囲気を自動的に生成するためのシステムであって、
前記部屋内の複数の場所から音を受信し、前記複数の場所のそれぞれから受信した音を示すオーディオ信号を生成する音受信ユニットと、
前記複数の場所のそれぞれでのムード及びソーシャルセッティングのための前記オーディオ信号を受信及び解析するオーディオ信号処理ユニットと、
前記複数の場所のそれぞれから受信した音を示す前記オーディオ信号の解析の結果に基づいて、前記複数の場所のそれぞれにおいて局所的な雰囲気を生成するための雰囲気生成システムを制御するための制御信号を自動的に生成する雰囲気生成ユニットとを有する、システム。
【請求項２】
前記雰囲気生成ユニットは、雰囲気特性及び雰囲気コンテンツにマッチしたムード分類を含むルックアップテーブルにより、分類されたソーシャルムードに適合する雰囲気に、分類されたソーシャルムードをマッピングする、請求項１に記載のシステム。
【請求項３】
前記雰囲気生成ユニットは、前記音受信ユニットで受信した前記音のダイナミクスに雰囲気を適合させる、請求項１又は請求項２に記載のシステム。
【請求項４】
前記部屋の場所内の人の存在を検出するセンサと、
センサ検出された前記場所内の人の存在の大きさを決定するセンサ信号処理ユニットと、
人の存在の決定された前記大きさに基づいて前記雰囲気を生成するための雰囲気生成システムのための制御信号を自動的に生成する雰囲気生成ユニットとを更に有する、請求項１〜３のうちいずれか一項に記載のシステム。
【請求項５】
当該システムの自動雰囲気調節動作を引き起こすために、当該システムの自動モードを可能にするためのユーザ入力を受信するユーザインタフェースを更に有する、請求項１〜４のうちいずれか一項に記載のシステム。
【請求項６】
前記ユーザインタフェースは、当該システムの前記自動雰囲気調節動作の特定の特性を調節するためのユーザ入力を受信する、請求項５に記載のシステム。
【請求項７】
予め規定された雰囲気を生成するために、予め規定された入力を受信し、受信した前記予め規定された入力に対応する前記予め規定された雰囲気を選択し、前記雰囲気生成システムのための対応する制御信号を生成する、請求項１〜６のうちいずれか一項に記載のシステム。
【請求項８】
個人識別手段から信号を受信し、前記雰囲気を生成するときに、受信した前記信号を考慮に入れる、請求項１〜７のうちいずれか一項に記載のシステム。
【請求項９】
部屋内のムード及びソーシャルセッティングに適した雰囲気を自動的に生成するための方法であって、
システムによって、前記部屋内の複数の場所から音を受信し、前記複数の場所のそれぞれから受信した音を示すオーディオ信号を生成する第１のステップと、
前記システムによって、前記複数の場所のそれぞれでのムード及びソーシャルセッティングのための前記オーディオ信号を受信及び解析する第２のステップと、
前記システムによって、前記複数の場所のそれぞれから受信した音を示す前記オーディオ信号の解析の結果に基づいて、前記複数の場所のそれぞれにおいて局所的な雰囲気を生成するための雰囲気生成システムを制御するための制御信号を自動的に生成する第３のステップとを有する、方法。
【請求項１０】
コンピュータにより実行されたときに、請求項９に記載の方法を実行可能なコンピュータプログラム。
【請求項１１】
請求項１０に記載のコンピュータプログラムを格納する記録担体。
【請求項１２】
請求項９に記載の方法を実行するようにプログラムされ、雰囲気生成システムとの通信のためのインタフェースを有する、コンピュータ。
【発明の詳細な説明】
【技術分野】
【０００１】
本発明は、部屋等の環境内のムード及びソーシャルセッティングに適した、音楽と組み合わせられた照明雰囲気のような雰囲気の自動生成に関する。
【背景技術】
【０００２】
将来の雰囲気生成システムは、高度な照明、音楽再生、電子表示の内容及び場合により匂いでさえも含む複数の雰囲気モダリティの一体制御を提供し、それ故、家、小売店又はホスピタリティ環境等の環境内に複雑な雰囲気を作り出すことを可能にするだろう。研究は、人々がシーンセッティング及び雰囲気生成の必要性を増加させることを示した。特に、ソーシャルイベントに関して、人々は、特定の瞬間でのソーシャルセッティングの状態及びムードに適合する刺激的な雰囲気を好む。解決されるべき重要な問題は、どのようにして雰囲気生成システムを容易に制御するか、及び、どのようにして現在のソーシャルセッティング、ソーシャルアクティビティ及びムードに雰囲気を調節するかである。
【発明の概要】
【発明が解決しようとする課題】
【０００３】
本発明の目的は、環境内のムード及びソーシャルセッティングに適した雰囲気を自動的に生成することができる新規なシステム及び方法を提供することにある。
【課題を解決するための手段】
【０００４】
本目的は独立請求項により解決される。他の実施形態は従属請求項により示される。
【０００５】
本発明の基本的概念は、或る環境内の音のオーディオ解析に基づいて、雰囲気生成システムで雰囲気を自動的に生成することにある。バー、ディスコ、店舗等の環境内の音は、現在の環境内のムード及びソーシャルセッティングの指標であり、例えば、笑い声は、楽しいソーシャルセッティング及びムードに対応する。また、ソーシャルセッティング及びムードは環境内の音楽を有し、従って、音楽は本発明による自動的に生成された雰囲気に影響を及ぼす。例えば、人々は、通常、ポピュラー音楽に対してクラシック音楽とは異なる照明を期待する。本発明は、ユーザが、雰囲気、例えば、店舗、バー等の環境内のムード及びソーシャルセッティングに依存して複雑な照明システムで自動的に生成された照明雰囲気の生成及び調節に対処しなくてもよいという利点を与える。本発明との関連で、環境内の雰囲気は、照明、音、像、匂い及び温度等の異なる態様を有することが留意されるべきである。それ故、本発明の雰囲気の自動生成は、照明システム又は照明ユニット、サウンド生成システム、匂い発生器、電子ピクチャディスプレイ及び温度調節システムのような、環境内の雰囲気に影響を及ぼすための全ての技術手段の自動制御を有する。
【０００６】
本発明の一実施形態は、或る環境内のムード及びソーシャルセッティングに適した雰囲気を自動的に生成するためのシステムであって、前記環境から音を受信し、受信した前記音を示すオーディオ信号を生成する音受信ユニットと、前記環境内のムード及びソーシャルセッティングのための前記オーディオ信号を受信及び解析するオーディオ信号処理ユニットと、前記オーディオ信号の解析の結果に基づいて雰囲気を生成するための雰囲気生成システムのための制御信号を自動的に生成する雰囲気生成ユニットとを有する、システムを提供する。
【０００７】
このシステムは、或る環境、例えば部屋内のムード及びソーシャルセッティングに適した雰囲気の快適で自動的な生成を可能にする。これは、如何なるユーザインタラクションをも必要とせず、それ故、しばしば専門的な知識を必要とするような適切な雰囲気を生成及び調節するという複雑な仕事からユーザを解放する。本システムは、例えば、雰囲気生成システムに統合されるべきモジュールとして、又は、雰囲気生成システム、特に、環境内のムード及びソーシャルセッティングに適した雰囲気を生成するために、生成された制御信号を受信してこれらを内部で処理するための雰囲気生成システムの制御信号インタフェースと結合され得るスタンドアロンユニットとして実装されてもよい。
【０００８】
本発明の他の実施形態によれば、オーディオ信号処理ユニットは、受信したオーディオ信号に含まれるオーディオコンテンツを解析し、解析されたオーディオコンテンツを分類するオーディオコンテンツ解析及び分類ユニットを有し得る。オーディオコンテンツの例えばポピュラー又はクラシック音楽、ノイズ又は観衆のノイズ、及び、静寂への分類は、ほとんどの場合において、様々な環境内のムード及びソーシャルセッティングの間で異なる信頼性のある適切な基準として機能する。
【０００９】
オーディオコンテンツ解析及び分類ユニットは、本発明の他の実施形態において、以下の一般的なオーディオ分類、即ち、ポピュラー音楽、クラシック音楽、スピーチ、ノイズ、観衆のノイズ、静寂、笑い声のうち少なくとも１又はそれ以上にオーディオコンテンツを分類する特徴抽出及びオーディオ分類アルゴリズムを有し得る。斯様なアルゴリズムは、ソフトウェア又はハードウェアのいずれかに実行され得る。本アルゴリズムは、オーディオコンテンツから特徴を抽出することを可能にし、これは、異なるオーディオ分類に対して特異なものである。そして、抽出された特徴は、オーディオコンテンツを一般的なオーディオ分類に割り当てるように処理され得る。
【００１０】
本発明の他の実施形態において、特徴抽出及びオーディオ分類アルゴリズムは、一般的なオーディオ分類を下位分類に更に分類することにより分類を詳細化するように更に適合され得る。例えば、本アルゴリズムは、その音楽がジャズ、ロック、レゲエ、フォーク、Ｒ＆Ｂであるかどうかを決定するために、最初のステップにおいてポピュラー音楽として分類されたオーディオコンテンツのより多くの特定の解析を実行し得る。これは、自動的に生成された雰囲気を或る環境内のムード及びソーシャルセッティングに良好に適合させることを支援し得る。
【００１１】
オーディオコンテンツ解析及び分類ユニットは、本発明の一実施形態において、存在情報及び／又は言語表現に対してオーディオコンテンツを解析し、解析された存在情報及び／又は言語表現に基づいて環境内のソーシャルムードを分類するように更に適合され得る。例えば、オーディオコンテンツは、笑い声若しくは音声、又は、ユーザにより話された制御コマンドのような或る単語に対して解析され得る。後者は、ユーザにより特定の雰囲気を選択的に生成することを可能にする。例えば、ユーザが大声で話し、"寒い雰囲気"等の制御コマンドを用いるときには、本システムは、このユーザが話したコマンドを受信して解析し、例えば、青色照明を生成するように照明システムを制御し、部屋の温度を低くするように空調システムを制御することにより、"寒い"雰囲気を自動的に生成する。
【００１２】
他の実施形態によれば、雰囲気生成ユニットは、例えば音楽、画像、ビデオのような雰囲気特性及び雰囲気コンテンツに適合したムード分類を含むルックアップテーブルにより、分類されたソーシャルムードに適合する雰囲気に、分類されたソーシャルムードをマッピングするように更に適合され得る。例えば、本システムは、ストレージ、特にデータベースの形式で複雑なルックアップテーブルを含み得る。本システムがソーシャルムードを分類するときには、これは、分類されたソーシャルムードに適合する照明雰囲気を生成するために、入力パラメータとしての分類されたソーシャルムードでデータベースクエリを自動的に実行し、出力としてのデータベースから、照明システムのための制御パラメータのセットを受信し得る。ルックアップテーブルは、ユーザにより、又は、例えばインターネット等のネットワークを介してアップデートを自動的にダウンロードすることにより、生成及び更新され得る。
【００１３】
本発明の他の実施形態において、雰囲気生成ユニットは、以下のシステム、即ち、照明雰囲気を生成するための照明システム、オーディオ、例えばサウンドスケープの再生、音楽トラック又はプレイリスト、即ち音楽トラックの順番付けられたセットを生成するためのオーディオレンダリングシステム、電子画像及びビデオを表示するための電子表示システム、人工的な匂いを生成するための匂い生成システム、温度調節システムのうちの１又はそれ以上を制御することにより、雰囲気を自動的に生成するように更に適合され得る。
【００１４】
本発明の他の実施形態によれば、雰囲気生成ユニットは、音受信ユニットで受信した音のダイナミクスに雰囲気を適合させるように更に適合され得る。これは、環境におけるダイナミックな雰囲気の生成を実行することを可能にする。例えば、本システムは、部屋において話している音の大きさが照明強度を僅かに増大させることにより増大するときには、生成された雰囲気を自動的に変化させ得る。また、本システムは、例えば、話している人に依存して特定の色を生成し得る。これは、例えば、会議の間において、異なる人が話しているときに役立ち得る。斯様なアプリケーションにおいて、本システムは、例えば実際に話している話者を強調するスポットライトの色を自動的に変化させ、その結果、聞き手が異なる話者をより容易に区別することができる。
【００１５】
本発明の他の実施形態によれば、音受信ユニットは、環境内の異なる場所から音を受信し、異なる場所から受信した音を示すオーディオ信号を生成するように更に適合され、オーディオ信号処理ユニットは、環境内の異なる場所でのソーシャルセッティングに関するオーディオ信号を受信して解析するように更に適合され、雰囲気生成ユニットは、異なる場所から受信した音を示す異なるオーディオ信号の解析の結果に基づいて、環境内の異なる場所で異なる雰囲気を生成するための雰囲気生成システムのための制御信号を自動的に生成するように更に適合される。
【００１６】
これは、或る環境内の全体音が受信及び処理されるので、環境のための１つの雰囲気の生成とは異なり、自動的に生成された雰囲気を、環境内の異なる場所により良好に適合させることを可能にする。この実施形態は、局部的な雰囲気、例えば、第１の雰囲気が適切である第１の人が話す第１の場所における第１の雰囲気、及び、第２の雰囲気が適切である第２の人が話す第２の場所における第２の雰囲気の生成を可能にする。
【００１７】
本発明の他の実施形態によれば、本システムは、環境の場所内の人の存在を検出するセンサと、センサ検出された場所内の人の存在の大きさを決定するように適合されるセンサ信号処理ユニットと、人の存在の決定された大きさに基づいて雰囲気を生成するための雰囲気生成システムのための制御信号を自動的に生成するように適合される雰囲気生成ユニットとを有し得る。
【００１８】
本システムに対するこれらの追加のセンサ入力は、ソーシャルセッティング及びムードの検出の性能を向上させるのを支援し、他のセンサは補助入力を提供し得る。例えば、赤外線センサ及びコンピュータ視覚化可能なカメラは、人の存在、人の数及びソーシャルセッティングの検出を向上させる。
【００１９】
本発明の他の実施形態によれば、本システムは、システムの自動雰囲気調節動作を引き起こすために、システムの自動モードを可能にするためのユーザ入力を受信するように適合されたユーザインタフェースを更に有し得る。
【００２０】
それ故、ユーザは、雰囲気生成システムのモードを、或る環境内のムード及びソーシャルセッティングに適した雰囲気の自動生成及び調節に容易にアクティブにすることができる。
【００２１】
ユーザインタフェースは、本発明の他の実施形態において、所望量のバリエーション（どの程度まで雰囲気がソーシャルセッティング及びムードに対して調節されるか）又は所望のダイナミクス（時間に渡る段階的な変化から、１分毎にダイナミックに調節することまで）のような、システムの自動雰囲気調節動作の特定の特性を調節するためのユーザ入力を受信するように適合され得る。
【００２２】
本システムは、本発明の一実施形態によれば、予め規定された雰囲気を生成するために、予め規定された入力を、例えば、ユーザインタフェースを介して、又は、信号として、又は、予め規定された音として受信し、受信した予め規定された入力に対応する予め規定された雰囲気を選択し、雰囲気生成システムのための対応する制御信号を生成するように更に適合され得る。これは、幾つかの固定されたセッティング又はパーソナル嗜好セッティングにより、システムの自動化を支配することを可能にする。例えば、ユーザは、照明システムの場合においては、予め規定された入力をユーザインタフェースを介して入力することにより、"嗜好選択ボタン"を押すことにより、"ユーザ嗜好セッティング"のような特定のコマンドを大声で言うことにより、又は、キーのボタンを押すことに基づき特定のコードを送信する、電子キーのような技術的入力手段を用いることにより、"薄暗いウォームライト"のような予め規定されたセッティングをすぐに選択し得る。また、特徴的な音は、予め規定された入力、例えば掃除機の音として機能し得る。それ故、メイドが部屋を掃除しており、この部屋においてシステムが照明システムを制御するために導入されている場合には、システムは、掃除機の音を予め規定された音として受信し、予め規定された雰囲気"クリーニングのために良好な照明状態"を自動的に選択し得る。それ故、予め規定された入力の処理は、音の場合においては、オーディオ信号処理ユニットで実行され得る。予め規定された入力が、ユーザインタフェースから、又は、例えば電子キーを伴って通信接続を介して受信されるときには、これは、雰囲気生成ユニットを直接的に制御し得る他の入力処理ユニットにより処理され得る。
【００２３】
本発明の他の実施形態によれば、本システムは、例えば袖口又は宝石に取り付けられたタグ等の個人識別手段から信号を受信し、雰囲気を生成するときに、受信した信号を考慮に入れるように更に適合され得る。これは、人々をより正確に区別することを可能にし、例えば、人を検出するだけでなく、検出された人が誰なのかを検出することもできる。識別手段からの信号でその人に関する情報を受信するか、又は、受信した信号により人を識別するいずれかのシステムが設けられ、例えば、信号が人の識別コードを含むときには、システムは、その識別コードで検索可能な人に関する情報を含むデータベースにアクセスし得る。
【００２４】
更に、本発明の一実施形態は、或る環境内のムード及びソーシャルセッティングに適した雰囲気を自動的に生成するための方法であって、前記環境から音を受信し、受信した前記音を示すオーディオ信号を生成するステップと、前記環境におけるソーシャルセッティングのための前記オーディオ信号を受信及び解析するステップと、前記オーディオ信号の解析の結果に基づいて雰囲気を生成するための雰囲気生成システムのための制御信号を自動的に生成するステップとを有する、方法を提供する。
【００２５】
この方法は、例えばメモリに格納され、プロセッサ、例えばオーディオ信号解析のためにプログラムされたデジタル信号プロセッサにより実行され得る、アルゴリズムとして実装される。
【００２６】
本発明の他の実施形態によれば、コンピュータプログラムが提供され、これは、コンピュータにより実行されたときに本発明の前記方法を実行することが可能である。それ故、本発明の方法は、例えば既存の雰囲気生成システム、特に照明システムに適用され、これは、新規な機能で拡張され、例えばダウンロードコネクション又は記録担体を介して供給されるコンピュータプログラムを実行するように適合される。
【００２７】
本発明の他の実施形態によれば、本発明のコンピュータプログラムを格納する記録担体、例えば、ＣＤ−ＲＯＭ、ＤＶＤ、メモリカード、ディスケット、又は、電子アクセスのためのコンピュータプログラムを格納するのに適した類似のデータが提供され得る。
【００２８】
最後に、本発明の一実施形態は、本発明の方法を実行するためにプログラムされ、コンピュータのサウンドカードに接続されたマイクロフォン等の音受信手段と、雰囲気を生成するための雰囲気生成システムとの通信のためのインタフェースとを有する、コンピュータを提供する。本コンピュータは、例えば、自動的に生成された雰囲気に従って制御信号を生成し、雰囲気生成システムにインタフェースを介して制御信号を出力するために、雰囲気生成システムを制御するように適合されたパーソナルコンピュータ（ＰＣ）であり得る。
【００２９】
本発明のこれら及び他の態様は、後述される実施形態から明らかになり、その実施形態を参照して説明されるだろう。
【００３０】
本発明は、例となる実施形態を参照して以下でより詳細に述べられるだろう。しかしながら、本発明は、これらの例となる実施形態に限定されるものではない。
【図面の簡単な説明】
【００３１】
【図１】本発明の環境内のムード及びソーシャルセッティングに適した雰囲気を自動的に生成するためのシステムの一実施形態を示す。
【図２】図１に示されたシステムのオーディオ信号処理ユニットの一実施形態を示す。
【図３】図１に示されたシステムの雰囲気生成ユニットの一実施形態を示す。
【図４】図３に示された雰囲気生成ユニットに実装されたルックアップテーブルの位置実施形態を示す。
【発明を実施するための形態】
【００３２】
以下において、機能的に類似又は同一の要素は同一の参照番号を有し得る。
【００３３】
図１は、雰囲気生成システム２６を示しており、この雰囲気生成システム２６は、特定のソーシャルコンテンツ及びアクティビティに自動的に応答可能であり、環境１２において生成された雰囲気を適宜調節することが可能である。本発明の環境１２内のムード及びソーシャルセッティングに適した雰囲気を自動的に生成するためのシステム１０は、制御信号２４により雰囲気生成システム２６を制御する。制御信号２４は、有線通信リンク又は無線通信リンクのいずれかによりシステム１０から雰囲気生成システム２６に出力され得る。
【００３４】
環境１２は、例えばビル内の部屋である。ビルに、雰囲気生成システム２６が部屋内の所望の雰囲気を生成するために導入される。これを実現するために、雰囲気生成システム２６は、照明システム３２、オーディオレンダリングシステム３４、電子ピクチャ及びビデオを表示するための電子ディスプレイシステム３６、人工的な匂いを生成するための匂い生成システム、及び／又は、空調システム４０を有し得る。照明システム３２は、幾つかの半導体照明ユニットを有する複雑な照明システムであり、部屋１２内の異なる場所１２１，１２２，１２３で異なる色相、彩度及び明度をもつ照明を生成するように適合され得る。斯様な照明システムに関する一例は、出願人のLivingColorsTMランプである。これは、無線遠隔制御ユニットにより、生成された照明雰囲気の色相、彩度及び明度を調節することを可能にする。オーディオレンダリングシステム３４は、マルチチャネルオーディオシステムである。これは、周囲のミュージックサウンドスケープを生成することができる。生成されたサウンドスケープは、ハードディスク等のストレージから、特にネットワーク接続を介して、読み込まれ得る。電子ディスプレイシステム３６は、ＬＣＤ又はプラズマディスプレイパネルのような、１又はそれ以上のフラットパネルディスプレイを有し得る。これは、デジタルフォト又はビデオデータを有するコンピュータ又はビデオプレーヤ等のビデオソースから提供され得る。匂い生成システム３８は、香水等の多数の匂いを有する。これは、コンピュータ制御されて散布され得る。空調システム４０は、部屋１２に導入された、コンピュータ制御された加熱及び換気システムであり得る。全てのシステム３２〜４０は、コンピュータにより実行され得る雰囲気生成コントローラ３０により制御される。コンピュータは、システム１０から受信した制御信号２４を処理し、制御信号で表わされる部屋１２内の雰囲気が生成されるような態様で、異なるシステム３２〜４０を制御するように構成される。
【００３５】
システム１０は、音受信ユニット１４を有する。これは、部屋１２内の異なる場所１２１，１２２，１２３に配置されたマイクロフォンのアレイと、マイクロフォンからのアナログ電気信号をデジタルオーディオ信号１８に変換するためのアナログデジタル変換ユニットとを有する。音受信ユニット１４は、更なる音処理に対して必要とされない音部分をキャンセルするために、アナログ又はデジタルフィルタ及び増幅器のような、幾つかの音信号フィルタリング及び処理手段を有する。オーディオ信号１８は、更に処理するためのオーディオ信号処理ユニット２０に出力される。オーディオ信号処理ユニット２０は、より詳細に後述されるような、部屋１２内のムード及びソーシャルセッティングのための受信したオーディオ信号を解析する。解析の結果は、信号２８として、システム１０の雰囲気生成ユニット２２に出力される。雰囲気生成ユニット２２は、解析結果を含む受信信号２８に基づいて雰囲気生成システム２６のための制御信号２４を生成する。制御信号２４を生成するプロセスはより詳細に後述される。システム１０は、センサ４７、例えば赤外線センサ又はコンピュータ視覚化可能カメラを有し、これは、部屋１２の場所１２３での人の存在を検知し、場所１２３内又はその近くに配置され得る。センサ４７からの信号は、センサ信号処理ユニット４８に出力される。センサ信号処理ユニット４８は、受信した信号から、検知された場所１２３における人の存在の大きさを処理する。この大きさは、信号処理ユニット４８から、更に処理するためのオーディオ信号処理ユニット２０に転送され、ソーシャルセッティングを検出する性能を向上させる。
【００３６】
図２は、オーディオ信号処理ユニット２０をより詳細に示している。ユニット２０は、オーディオ信号１８を解析及び分類するためのオーディオコンテンツ解析及び分類ユニット４２を有する。特に２つのタイプの情報がオーディオ解析から収集され得る。これは、部屋内に存在する人の数及びタイプ、話している人の性別及び年齢の推定、並びに、話している音の大きさ、話している速度、話し方（ささやき声、会話、叫び声、歌、鼻歌）、感情（楽しみ、怒り、悲しみ）等の部屋内のソーシャルムードを検出するための言語表現のような、部屋内のムード及びソーシャルセッティングを評価することを可能にする。追加的に、再生される（ライブ）音楽が、雰囲気を生成及び調節するために検出及び分類されてもよい。
【００３７】
解析及び分類を実行するために、オーディオコンテンツ解析及び分類ユニット４２は、オーディオ信号１８に対して特徴抽出及びオーディオ分類アルゴリズム４４を実行する。アルゴリズム４４によれば、オーディオ信号処理ユニット２０は、それぞれ受信したオーディオ信号１８のオーディオコンテンツから特性を抽出する。これは、その後、各オーディオ信号のオーディオコンテンツを分類するために用いられる。アルゴリズムは、２ステップの解析及び分類プロセスを実行し得る。第１のステップにおいて、オーディオコンテンツは、オーディオコンテンツから特徴を抽出して解析することにより、一般的なオーディオ分類のための特性である、ポピュラー音楽、クラシック音楽、音声、ノイズ、観衆のノイズ、静寂及び笑い声のような一般的なオーディオ分類のうち１つに分類され得る。第１のステップは、オーディオコンテンツを粗く分類することを可能にする。そして、第２のステップにおいて、アルゴリズムは、オーディオコンテンツから特徴を更に抽出して解析することにより、粗い分類を絞り込む。例えば、アルゴリズムは、オーディオコンテンツがジャズ、ロック、レゲエ、フォーク、Ｒ＆Ｂ等であるかどうかを決定するために、オーディオコンテンツのより詳細な解析を行うことにより、ポピュラー音楽として第１のステップにおいて分類されたオーディオコンテンツを更に解析する。結果として、分類は、信号２８として、雰囲気生成ユニット２２に出力される。
【００３８】
また、オーディオ信号処理ユニット２０は、センサ信号処理手段４８からの追加の入力を受信し、これは、部屋内のソーシャルセッティングの検出を向上させ得る。例えば、オーディオ信号１８のオーディオコンテンツの解析及び分類を通じて検出された部屋内の人の数及びタイプのようなソーシャルセッティングは、部屋内に存在する人の数の大きさである、センサ信号処理手段４８から受信した追加入力により確認され得る。あるいは、前記追加入力は、部屋１２内の特定の場所１２１，１２２，１２３での人の数及びタイプを検出するために用いられてもよい。これは、オーディオコンテンツから検出されるべきであるときには、非常に時間を浪費するか又は高い計算能力を要する。
【００３９】
図３は、雰囲気生成ユニット２２をより詳細に示している。雰囲気生成ユニットは、どのタイプの雰囲気特性又は雰囲気コンテンツ成分が特定のソーシャルムードに適合するかについての知識をもつことを必要とする。この知識は、変換ユニット２２１及び雰囲気コンテンツアクセスユニット２２２により、雰囲気生成ユニット２２において実行される。変換ユニット２２１は、受信した分類結果を雰囲気特性に変換するように適合され、ムード分類が図４において例として示された色にマッチするルックアップテーブル４６を有する。同じことが、音楽ジャンルを示すメタデータ（サービス）が存在するミュージカルコンテンツに対して行われ、例えば、穏やかなムードは、クラシック音楽に適合され、女の子らしいムードは少年バンドに適合する（図４の例となるルックアップテーブルの第３の列参照）。雰囲気特性は、雰囲気コンテンツアクセスユニット２２２に出力される。雰囲気コンテンツアクセスユニット２２２は、特に雰囲気生成システム２６に対して適した多くの異なる雰囲気を含むデータベースから、対応する雰囲気を生成するために、雰囲気コンテンツ、特に雰囲気生成システム２６の種々のシステム３２〜４０を制御するための制御セットを取得する。雰囲気コンテンツアクセスユニット２２２は、取得した雰囲気コンテンツを変換ユニット２２１に出力する。変換ユニット２２１は、受信した雰囲気コンテンツに対応する制御信号２４を生成し、これらの信号２４を雰囲気生成システム２６に出力する。
【００４０】
要約すると、システム１０は、実際には、典型的な例により以下で説明されたように動作する。オーディオ解析ベースのソーシャルムード分類に基づいて、雰囲気生成システムのための制御信号は、雰囲気が自動的に生成されるように生成される。これは、或る環境内のソーシャルセッティングに適合する。例えば、数名の人がしばらくの間ひそひそ話をしている場合には、システム１０は、静寂又は神秘的な環境を自動的に生成する。例えば、光を薄暗くし、神秘的な音楽又は"ppssst"サウンドの再生し、及び、暗い顔及び目の画像をＴＶ又はフォトフレームディスプレイに示す。楽しい雰囲気の場合において、人は、大声で笑うか又は歌うときには、システム１０は、楽しい音楽の再生、及び、場合により笑みを浮かべるか又は愉快な顔の画像（これは、個人又は家族のフォトコレクションからもたらされ得る）を提示することを含む、この喜びに適したカラフルな雰囲気及び環境を作り出し得る。多くの声が検出された場合には、システム１０はこれをパーティ又はレセプションとして解釈し、適切な照明セッティングを生成する。ユーザの視点から、全てのこれらの変更がわずかであり控えめであることが重要である。これらの例において、ダイナミックな雰囲気は、ソーシャルインタラクションを強化すべきである。即ち、これは、これらのソーシャルアクティビティから人の気を散らすべきではない。歌っていることが検出されたときには、システムは、ハミングしている人の合唱団を生成するか、又は、歌の最後に拍手及び喝采を送るディスプレイ上の観衆を示す。
【００４１】
図１において示されるように、システム１０は、部屋１２の異なる場所１２１，１２２，１２３のそれぞれから受信した幾つかの音１６１，１６２，１６３を処理し得る。これは、異なる音１６１，１６２，１６３のオーディオ解析及び分類に基づいて、異なる場所１２１，１２２，１２３で異なる雰囲気、即ち局所的な雰囲気を生成することを可能にする。例えば、システム１０は、人Ａが話しているときには特定の色を生成し、人Ｂが話しているときには異なる色を生成する。マイクロフォンのアレイ又は他の手段を用いて、人の場所を突き止めて、局所的な雰囲気を生成することが可能となる。例えば、最も笑っているか又は最も大声の人は、カラフルな局所的オーラが与えられる。
【００４２】
システム１０は、環境１２内の音１６１，１６２，１６３に基づいてダイナミックな雰囲気を生成するように適合されてもよい。例えば、人が部屋内で話している場合に、システムは、"会話セッティング"をアクティブにするだけでなく、１又はそれ以上の雰囲気パラメータをその会話の特性に即座に適合させてもよい。例えば、会話の声の大きさが増大するときには、照明強度は僅かに増大し得る。
【００４３】
本発明において提案された機能は、モードとしてユーザにアクセス可能であり、例えば、ユーザは、例えば自動照明調節動作を引き起こすために、雰囲気生成システム、例えば照明システムを"自動"にすることができる。加えて、ユーザは、所望量のバリエーション（どの程度まで、雰囲気がソーシャルセッティング及びムードに調節されるか）又は所望のダイナミクス（時間に渡る段階的な変化から、１分ごとにダイナミックに調節するまで）のような、自動照明調節動作の特性を調節することができる。
【００４４】
短く要約すると、本発明は、ソーシャルセッティング及びソーシャルムード（音の大きさ、速度、話し方、静寂の期間、感情のような言語表現の特性）に関する情報を示す特性のための（１又は複数のマイクロフォンにより取得された）オーディオ信号を解析することを提案する。これらの態様に基づいて、ソーシャルセッティング及びソーシャルムードは分類され、雰囲気生成システムは、分類された"ソーシャルムード"に基づいて雰囲気を生成し得る。必要であれば、音楽又は画像のような特定の雰囲気コンテンツは、（例えば、ユーザコレクション又はダウンロードから）取得され得る。
【００４５】
本発明の機能の少なくとも幾つかは、ハードウェア又はソフトウェアにより実行され得る。ソフトウェアにおける実行の場合において、本発明を実行する１又は複数のアルゴリズムを処理するために１又は複数の標準的なマイクロフォン又はマイクロコントローラが用いられてもよい。
【００４６】
"有する"という用語は、他の要素又はステップを除外するものではなく、単数表記は、複数を除外するものではないことが留意されるべきである。更に、特許請求の範囲における如何なる参照符号も、本発明の範囲を限定するものとして考慮されるべきではない。
【図１】
0005485913.tif 000002
【図２】
0005485913.tif 000003
【図３】
0005485913.tif 000004
【図４】
0005485913.tif 000005